(57)【要約】【課題】  統計処理の対象となった者に関する利用者情報及び位置情報を確実に保護しつつ、高精度かつ詳細な統計処理情報を生成する統計処理装置を提供することを主な目的とする。【解決手段】  携帯電話機１０１の位置に関する位置情報を携帯電話機１０１から通信網１０２を介して受信する受信部３０１と、位置情報を記憶する位置情報記憶部１と、携帯電話機１０１の利用者に関する利用者情報を記憶する利用者情報記憶部３と、位置情報及び利用者情報を用いた統計処理を行うことにより統計処理情報を作成する統計処理部７と、を具備し、携帯電話機１０１に対して無線通信を提供する移動体通信事業者１０３の装置として設けられたものである。【選択図】        図３
2005293242.tif 000002
【特許請求の範囲】
【請求項１】
移動体通信端末装置の位置に関する位置情報を該移動体通信端末装置から通信回線を介して受信する受信手段と、
前記位置情報を記憶する位置情報記憶手段と、
前記移動体通信端末装置の利用者に関する利用者情報を記憶する利用者情報記憶手段と、
前記位置情報及び前記利用者情報を用いた統計処理を行うことにより統計処理情報を作成する統計処理手段と、
を具備し、
前記移動体通信端末装置に対して無線通信を提供する通信事業者の装置として設けられたことを特徴とする統計処理装置。
【請求項２】
移動体通信端末装置の位置に関する位置情報を該移動体通信端末装置から通信回線を介して受信する受信手段と、
前記位置情報を記憶する位置情報記憶手段と、
前記移動体通信端末装置の利用者に関する利用者情報を記憶する利用者情報記憶手段と、
前記位置情報記憶手段の記憶構造及び前記利用者情報記憶手段の記憶構造に対応したコンピュータプログラムを記憶するプログラム記憶手段と、
前記コンピュータプログラムに従って前記位置情報及び前記利用者情報を用いた統計処理を行う統計処理手段と、
を具備することを特徴とする統計処理装置。
【請求項３】
外部に設けられた送信装置から通信回線を介して前記コンピュータプログラムを受信するプログラム受信手段を具備し、
前記プログラム記憶手段は、前記プログラム受信手段により受信されたコンピュータプログラムを記憶する、ことを特徴とする請求項２に記載の統計処理装置。
【請求項４】
移動体通信端末装置の位置に関する位置情報を該移動体通信端末装置から通信回線を介して受信する受信手段と、
前記位置情報を記憶する位置情報記憶手段と、
前記移動体通信端末装置の利用者に関する利用者情報を記憶する利用者情報記憶手段と、
前記位置情報及び前記利用者情報を用いた統計処理を行う統計処理手段と、
前記統計処理手段の統計処理により得られた統計処理情報の料金を、該統計処理に用いられた位置情報又は利用者情報の数に基づいて算出する算出手段と、を具備することを特徴とする統計処理装置。
【請求項５】
前記算出手段は、前記統計処理情報の料金を、統計処理に用いられた位置情報又は利用者情報の数に基づいて算出することを特徴とする請求項４に記載の統計処理装置。
【請求項６】
前記算出手段は、前記統計処理情報の料金として、統計処理に用いられた位置情報又は利用者情報の数に比例した料金を算出することを特徴とする請求項５に記載の統計処理装置。
【請求項７】
前記算出手段は、統計処理に用いられた位置情報又は利用者情報の数が所定値より小さい場合に、前記統計処理情報の料金として、所定額以上の料金を算出することを特徴とする請求項５に記載の統計処理装置。
【請求項８】
前記算出手段は、前記統計処理情報の料金として、統計処理に用いられた位置情報及び利用者情報の数とは独立の料金を算出することを特徴とする請求項７に記載の統計処理装置。
【請求項９】
外部に設けられた受信装置に対して通信回線を介して前記統計処理情報を送信する送信手段を具備することを特徴とする請求項１から請求項８のいずれかに記載の統計処理装置。
【請求項１０】
統計処理装置が、移動体通信端末装置の利用者に関する利用者情報、及び、該移動体通信端末装置から通信回線を介して受信した該移動体通信端末装置の位置に関する位置情報を用いた統計処理を行うことにより、統計処理情報を生成する生成工程と、
前記統計処理装置が、通信回線を介して、前記統計処理情報を外部の受信装置に送信する送信工程と、
を具備することを特徴とする統計処理情報の提供方法。
【請求項１１】
前記統計処理装置が、前記生成工程での統計処理により生成された統計処理情報の料金を、前記統計処理に用いられた位置情報又は利用者情報の数に基づいて算出する算出工程を具備することを特徴とする請求項１０に記載の統計処理情報の提供方法。
【請求項１２】
前記生成工程は、
前記統計処理装置が、前記利用者情報及び前記位置情報を記憶する情報記憶工程と、
前記統計処理装置が、該統計処理装置における前記利用者情報及び前記位置情報の記憶構造に対応したコンピュータプログラムを、記憶するプログラム記憶工程と、
前記統計処理装置が、前記コンピュータプログラムに従って統計処理を行う統計処理工程と、
を具備することを特徴とする請求項１０又は請求項１１に記載の統計処理情報の提供方法。
【請求項１３】
前記統計処理装置が、外部の送信装置から通信回線を介して前記コンピュータプログラムを受信するプログラム受信工程を具備し、
前記プログラム記憶工程は、前記統計処理装置が、前記受信工程において受信したコンピュータプログラムを記憶する、ことを特徴とする請求項１２に記載の統計処理情報の提供方法。
【請求項１４】
前記統計処理装置が、前記移動体通信端末装置に対して無線通信を提供する通信事業者の装置として設けられる提供準備工程を具備することを特徴とする請求項１０から請求項１３のいずれかに記載の統計処理情報の提供方法。
【請求項１５】
前記外部の受信装置及び前記外部の送信装置の少なくとも一方が、前記統計処理情報の提供を受ける者の装置として設けられる被提供準備工程を具備することを特徴とする請求項１０から請求項１３のいずれかに記載の統計処理情報の提供方法。
【請求項１６】
統計処理装置と無線通信を行う移動体通信端末装置であって、
前記統計処理装置は、
前記移動体通信端末装置の位置に関する位置情報を該移動体通信端末装置から通信回線を介して受信する受信手段と、
前記位置情報を記憶する位置情報記憶手段と、
前記移動体通信端末装置の利用者に関する利用者情報を記憶する利用者情報記憶手段と、
前記位置情報及び前記利用者情報を用いた統計処理を行う統計処理手段と、
を具備し、前記移動体通信端末装置に対して無線通信を提供する通信事業者の装置として設けられたことを特徴とする。
【請求項１７】
移動体通信端末装置の利用者に関する利用者情報、及び、該移動体通信端末装置から通信回線を介して受信した該移動体通信端末装置の位置に関する位置情報を用いた統計処理を行うことにより、統計処理装置により生成された統計処理情報を、該統計処理装置から通信回線を介して受信する受信手段と、
該受信手段により受信された統計処理情報を記憶する記憶手段と、
を具備することを特徴とする統計処理情報受信装置。
【請求項１８】
前記統計処理に用いられた位置情報又は利用者情報の数に基づいて算出された前記統計処理情報の料金に関する料金情報を、前記統計処理装置から受信する料金情報受信手段を具備することを特徴とする請求項１７に記載の統計処理情報受信装置。
【請求項１９】
前記統計処理装置における統計処理に用いられるコンピュータプログラムを、通信回線を介して前記統計処理装置に送信する送信手段を具備し、
前記統計処理装置は、前記送信手段により送信されたコンピュータプログラムに従って統計処理を行うことにより、前記統計処理情報を生成する、ことを特徴とする請求項１７又は請求項１８に記載の統計処理情報受信装置。
【請求項２０】
前記統計処理装置が、前記位置情報及び前記利用者情報を記憶する情報記憶手段を具備する請求項１９に記載の統計処理情報受信装置であって、
前記送信手段は、前記情報記憶手段における前記位置情報及び前記利用者情報の記憶構造に対応したコンピュータプログラムを前記統計処理装置に送信することを特徴とする。
【発明の詳細な説明】
【技術分野】
【０００１】
本発明は、携帯電話機等の移動体通信端末装置の位置及びこの移動体通信端末装置の利用者の利用者情報を用いた統計処理を行う統計処理装置に関する。
【背景技術】
【０００２】
近年、ＧＰＳ（Global Positioning System ）を利用して現在位置を検出する携帯電話機が発売され始めていることに対応して、この携帯電話機により検出された位置に関する情報（以下「位置情報」という。）を用いてマーケティング情報を作成する技術が、特開２００３−９１６２９号公報（特許文献１）に開示されている。具体的には、この特許文献１によれば、まず、携帯電話機により検出された位置情報は、この携帯電話機に移動体通信を提供する通信事業者（キャリア）に通信回線を介して送信された後、この通信事業者により、マーケティング情報を作成する調査会社のマーケティング情報作成装置に通信回線を介して送信される。次に、マーケティング情報作成装置は、予めアンケート等により取得し格納しておいた携帯電話機の利用者に関する利用者情報（例えば、年齢、性別、学齢や職業等）と、通信事業者により送信された位置情報と、を用いた統計処理を行うことにより、マーケティング情報を作成する。この技術により、マーケティング情報作成装置は、携帯電話機の利用者、すなわち、統計の対象となる利用者の存在位置及び利用者情報を確実に取得することができるので、精度が高く詳細なマーケティング情報を作成及び取得することができる。
【特許文献１】特開２００３−９１６２９号公報
【発明の開示】
【発明が解決しようとする課題】
【０００３】
理論的には、上記文献に開示された技術を用いることにより、調査会社は、位置情報及び利用者情報を用いてマーケティング情報を作成及び取得することができる。しかしながら、現実的には、調査会社がマーケティング情報を取得するための技術として、上記文献に開示された技術を用いることはできない。すなわち、上記文献に開示された技術では、キャリアが携帯電話機から取得した位置情報を調査会社に送信しているが、実際には、キャリアは、通信の秘密を守る義務が課されているので、携帯電話機から取得した位置情報を厳重に管理しており、この位置情報を外部すなわち調査会社に渡すことはありえない。よって、調査会社は、実際には、位置情報を取得することができないので、位置情報及び利用者情報を用いてマーケティング情報を作成及び取得することはできない。
ただし、将来、キャリアが調査会社に対して位置情報を提供するサービスを開始すると仮定した場合（本出願人は、個人情報を保護することに重点を置いているので、調査会社等の外部に位置情報を渡すことはない）に限り、調査会社は、かかるキャリアから位置情報を取得することにより、位置情報及び利用者情報を用いてマーケティング情報を作成及び取得することができる。しかしながら、この場合には、以下に示す理由により、利用者のプライバシーに関わる情報の保護という点において不都合な問題が新たに生ずる。
まず第１に、調査会社により作成されたマーケティング情報において、統計処理の対象となった者（以下「統計対象者」という。）の実名が表示されることはないにしても、統計対象者の年齢、性別、職業や家族構成等が表示され、統計対象者の特定の時間における存在位置が表示される可能性がある。この結果、マーケティング情報に匿名で表示された者であっても、その者が誰であるのかが特定されることがある。よって、このように特定された統計対象者のプライバシーに関わる情報が、不特定多数の者に知られてしまうことになる。
第２に、位置情報及び利用者情報は、調査会社によって保有されることになるので、この調査会社の社員等により、書面又は口頭で外部に持ち出される可能性がある。
以上説明したように、統計対象者のプライバシーに関わる情報を保護しつつ、高精度かつ詳細な統計処理情報を作成するための手段及び方法が、必要とされている。
【０００４】
本発明は、かかる問題に鑑みてなされたものであり、統計処理の対象となった者に関する利用者情報及び位置情報を確実に保護しつつ、高精度かつ詳細な統計処理情報を生成する統計処理装置を提供することを主な目的とする。また、本発明は、その統計処理情報を提供するための方法、統計処理情報の作成に用いられる移動通信端末装置、及び、作成された統計処理情報の提供を受ける被提供側に必要な受信装置等を提供することを目的とする。
【課題を解決するための手段】
【０００５】
本発明者は、まず第１に、移動体通信端末装置に移動体通信を提供する通信事業者に、この移動体通信端末装置の位置に関する位置情報及びこの移動体通信端末装置の利用者に関する利用者情報を用いた統計処理を実行させ、この統計処理により得られた統計処理情報のみを調査会社に通信回線を介して送信させることに着目した。これにより、本発明者は、位置情報及び利用者情報が通信事業者のみによって保有されるので、これらの情報が外部に持ち出される可能性を低くできること、及び、位置情報が通信回線を経由する時間をさらに短くできることを見出し、本発明をするに至った。
【０００６】
本発明者は、第２に、統計処理装置に、位置情報及び利用者情報の記憶構造に対応したコンピュータプログラムを記憶させ、このコンピュータプログラムに従った統計処理を実行させれば、統計処理装置に、通信回線を介して調査会社から受信したコンピュータプログラムに従った統計処理を実行させることができることに着目した。これにより、本発明者は、「通信事業者が、調査会社から依頼された統計処理により得られる統計処理情報を、統計対象者のプライバシーに関わる情報の保護という観点から判断できること、及び、調査会社の依頼内容に対応した統計処理情報を作成できること」を見出し、本発明をするに至った。
【０００７】
すなわち、本発明の第１の骨子は、通信事業者側に設けられた装置が、予め記憶した利用者情報と移動通信端末装置から受信した位置情報とを用いた統計処理により統計処理情報を作成し、作成した統計処理情報を通信回線を介して調査会社に送信することである。
【０００８】
本発明の第２の骨子は、通信事業者側に設けられた装置が、予め収集した利用者情報と移動通信端末装置から受信した位置情報とを記憶手段に記憶し、この記憶手段における利用者情報及び位置情報の記憶構造に対応したコンピュータプログラムに従って、利用者情報及び位置情報を用いた統計処理を行うことである。このコンピュータプログラムは、調査会社に依頼された統計処理を規定するように通信事業者により作成されるか、又は、調査会社により作成された後に通信回線を介して通信事業者側において受信される。
【０００９】
本発明の第３の骨子は、通信事業者側に設けられた装置が、予め記憶した利用者情報と移動通信端末装置から受信した位置情報とを用いた統計処理により統計処理情報を作成し、作成された統計処理情報の料金を、統計処理に用いられた利用者情報及び位置情報の数に基づいて算出することである。算出された料金は、例えば通信回線を介して調査会社に送信される。
【００１０】
本発明の第１の態様に係る統計処理装置は、移動体通信端末装置の位置に関する位置情報を該移動体通信端末装置から通信回線を介して受信する受信手段と、前記位置情報を記憶する位置情報記憶手段と、前記移動体通信端末装置の利用者に関する利用者情報を記憶する利用者情報記憶手段と、前記位置情報及び前記利用者情報を用いた統計処理を行うことにより統計処理情報を作成する統計処理手段と、を具備し、前記移動体通信端末装置に対して無線通信を提供する通信事業者の装置として設けられた構成を採る。
【００１１】
本発明の第２の態様に係る統計処理装置は、移動体通信端末装置の位置に関する位置情報を該移動体通信端末装置から通信回線を介して受信する受信手段と、前記位置情報を記憶する位置情報記憶手段と、前記移動体通信端末装置の利用者に関する利用者情報を記憶する利用者情報記憶手段と、前記位置情報記憶手段の記憶構造及び前記利用者情報記憶手段の記憶構造に対応したコンピュータプログラムを記憶するプログラム記憶手段と、前記コンピュータプログラムに従って前記位置情報及び前記利用者情報を用いた統計処理を行う統計処理手段と、を具備する構成を採る。
【００１２】
本発明の第３の態様に係る統計処理装置は、上記第２の態様において、外部に設けられた送信装置から通信回線を介して前記コンピュータプログラムを受信するプログラム受信手段を具備し、前記プログラム記憶手段が、前記プログラム受信手段により受信されたコンピュータプログラムを記憶する構成を採る。
【００１３】
本発明の第４の態様に係る統計処理装置は、移動体通信端末装置の位置に関する位置情報を該移動体通信端末装置から通信回線を介して受信する受信手段と、前記位置情報を記憶する位置情報記憶手段と、前記移動体通信端末装置の利用者に関する利用者情報を記憶する利用者情報記憶手段と、前記位置情報及び前記利用者情報を用いた統計処理を行う統計処理手段と、前記統計処理手段の統計処理により得られた統計処理情報の料金を、該統計処理に用いられた位置情報又は利用者情報の数に基づいて算出する算出手段と、を具備する構成を採る。
【００１４】
本発明の第５の態様に係る統計処理装置は、上記第４の態様において、前記算出手段が、前記統計処理情報の料金を、統計処理に用いられた位置情報又は利用者情報の数に基づいて算出する構成を採る。
【００１５】
本発明の第６の態様に係る統計処理装置は、上記第５の態様において、前記算出手段が、前記統計処理情報の料金として、統計処理に用いられた位置情報又は利用者情報の数に比例した料金を算出する構成を採る。
【００１６】
本発明の第７の態様に係る統計処理装置は、上記第５の態様において、前記算出手段が、統計処理に用いられた位置情報又は利用者情報の数が所定値より小さい場合に、前記統計処理情報の料金として、所定額以上の料金を算出する構成を採る。
【００１７】
本発明の第８の態様に係る統計処理装置は、上記第７の態様において、前記算出手段が、前記統計処理情報の料金として、統計処理に用いられた位置情報及び利用者情報の数とは独立の料金を算出する構成を採る。
【００１８】
本発明の第９の態様に係る統計処理装置は、上記第１の態様から第８の態様のいずれかの態様において、外部に設けられた受信装置に対して通信回線を介して前記統計処理情報を送信する送信手段を具備する構成を採る。
【００１９】
本発明の第１０の態様に係る統計処理情報の提供方法は、統計処理装置が、移動体通信端末装置の利用者に関する利用者情報、及び、該移動体通信端末装置から通信回線を介して受信した該移動体通信端末装置の位置に関する位置情報を用いた統計処理を行うことにより、統計処理情報を生成する生成工程と、前記統計処理装置が、通信回線を介して、前記統計処理情報を外部の受信装置に送信する送信工程と、を具備する方法を採る。
【００２０】
本発明の第１１の態様に係る統計処理情報の提供方法は、上記第１０の態様において、前記統計処理装置が、前記生成工程での統計処理により生成された統計処理情報の料金を、前記統計処理に用いられた位置情報又は利用者情報の数に基づいて算出する算出工程を具備する方法を採る。
【００２１】
本発明の第１２の態様に係る統計処理情報の提供方法は、上記第１０の態様又は第１１の態様において、前記生成工程は、前記統計処理装置が、前記利用者情報及び前記位置情報を記憶する情報記憶工程と、前記統計処理装置が、該統計処理装置における前記利用者情報及び前記位置情報の記憶構造に対応したコンピュータプログラムを、記憶するプログラム記憶工程と、前記統計処理装置が、前記コンピュータプログラムに従って統計処理を行う統計処理工程と、を具備する方法を採る。
【００２２】
本発明の第１３の態様に係る統計処理情報の提供方法は、上記第１２の態様において、前記統計処理装置が、外部の送信装置から通信回線を介して前記コンピュータプログラムを受信するプログラム受信工程を具備し、前記プログラム記憶工程は、前記統計処理装置が、前記受信工程において受信したコンピュータプログラムを記憶する方法を採る。
【００２３】
本発明の第１４の態様に係る統計処理情報の提供方法は、上記第１０の態様から第１３の態様のいずれかにおいて、前記統計処理装置が、前記移動体通信端末装置に対して無線通信を提供する通信事業者の装置として設けられる提供準備工程を具備する方法を採る。
【００２４】
本発明の第１５の態様に係る統計処理情報の提供方法は、上記第１０の態様から第１３の態様のいずれかにおいて、前記外部の受信装置及び前記外部の送信装置の少なくとも一方が、前記統計処理情報の提供を受ける者の装置として設けられる被提供準備工程を具備する方法を採る。
【００２５】
本発明の第１６の態様に係る移動体通信端末装置は、統計処理装置と無線通信を行う構成を採り、前記統計処理装置は、前記移動体通信端末装置の位置に関する位置情報を該移動体通信端末装置から通信回線を介して受信する受信手段と、前記位置情報を記憶する位置情報記憶手段と、前記移動体通信端末装置の利用者に関する利用者情報を記憶する利用者情報記憶手段と、前記位置情報及び前記利用者情報を用いた統計処理を行う統計処理手段と、を具備し、前記移動体通信端末装置に対して無線通信を提供する通信事業者の装置として設けられた構成を採る。
【００２６】
本発明の第１７の態様に係る統計処理情報受信装置は、移動体通信端末装置の利用者に関する利用者情報、及び、該移動体通信端末装置から通信回線を介して受信した該移動体通信端末装置の位置に関する位置情報を用いた統計処理を行うことにより、統計処理装置により生成された統計処理情報を、該統計処理装置から通信回線を介して受信する受信手段と、該受信手段により受信された統計処理情報を記憶する記憶手段と、を具備する構成を採る。
【００２７】
本発明の第１８の態様に係る統計処理情報受信装置は、上記第１７の態様において、前記統計処理に用いられた位置情報又は利用者情報の数に基づいて算出された前記統計処理情報の料金に関する料金情報を、前記統計処理装置から受信する料金情報受信手段を具備する構成を採る。
【００２８】
本発明の第１９の態様に係る統計処理情報受信装置は、上記第１７の態様又は第１８の態様において、前記統計処理装置における統計処理に用いられるコンピュータプログラムを、通信回線を介して前記統計処理装置に送信する送信手段を具備し、前記統計処理装置が、前記送信手段により送信されたコンピュータプログラムに従って統計処理を行うことにより、前記統計処理情報を生成する構成を採る。
【００２９】
本発明の第２０の態様に係る統計処理情報受信装置は、上記第１９の態様において、前記統計処理装置が、前記位置情報及び前記利用者情報を記憶する情報記憶手段を具備し、前記送信手段は、前記情報記憶手段における前記位置情報及び前記利用者情報の記憶構造に対応したコンピュータプログラムを前記統計処理装置に送信する構成を採る。
【発明の効果】
【００３０】
本発明によれば、統計処理の対象となった者に関する利用者情報及び位置情報を確実に保護しつつ、高精度かつ詳細な統計処理情報を作成する統計処理装置を提供することができる。
【発明を実施するための最良の形態】
【００３１】
以下、本発明の実施の形態について、添付図面を参照して詳細に説明する。
【００３２】
（実施の形態）
図１は、本発明の実施の形態に係る統計処理装置を含む移動体通信システムの構成を示すブロック図である。この移動体通信システムは、複数の携帯電話機（図１には携帯電話機１０１のみが例示されている）と、これら携帯電話機に通信網１０２を介した無線通信（移動体通信）サービスを提供するとともに、これら携帯電話機の位置情報を利用して統計処理情報を作成する移動体通信事業者（以下「キャリア」という。）１０３と、キャリア１０３により作成された統計処理情報を、通信網１０４を介して受信する調査会社１０５と、を含む。
【００３３】
具体的には、携帯電話機１０１は、自機の位置を検出し、検出した位置に関する位置情報を通信網１０２を介してキャリア１０３に送信する。なお、通信網１０２は、例えば、移動体通信や公衆網等を含む。
【００３４】
キャリア１０３は、無線通信サービスに関する契約を締結した携帯電話機１０１の利用者に関する利用者情報（例えば、氏名、性別、職業、住所や電話番号等）を予め保有するとともに、この携帯電話機１０１から受信した位置情報（例えば、日時、緯度、経度や高度等）を記憶する。このキャリア１０３は、位置情報及び利用者情報を用いた統計処理を行うことにより統計処理情報を作成することが可能な統計処理装置を有する。このキャリア１０３は、調査会社から依頼されたサンプル数に対応する位置情報及び利用者情報を用いて、調査会社から依頼された内容の統計処理を統計処理装置により実行し、この統計処理により得られた統計処理情報を、通信網１０４を介して調査会社１０５に送信する。この統計処理は、例えば、位置情報及び利用者情報の内容に対応したコンピュータプログラムにより実行される。なお、通信網１０４は、例えば、公衆網や専用回線等を含む。
【００３５】
調査会社１０５は、統計処理に用いるべき位置情報及び利用者情報のサンプル数に関するサンプル数情報を、通信網１０４を介してキャリア１０３に送信する。また、調査会社１０５は、例えば、位置情報及び利用者情報の内容に対応したコンピュータプログラムであって、所望する統計処理情報が得られるような統計処理を規定したコンピュータプログラムを、通信網１０４を介してキャリア１０３に送信する。この結果、調査会社１０５は、サンプル数に対応する位置情報及び利用者情報を用いて、このコンピュータプログラムに従った統計処理により得られた統計処理情報を、キャリア１０３から通信網１０４を介して受信する。
【００３６】
次に、携帯電話機１０１、キャリア１０３及び調査会社１０５のそれぞれの具体的な構成について説明する。まず第１に、携帯電話機１０１の具体的な構成について、図２を参照して説明する。
【００３７】
図２は、本発明の実施の形態に係る統計処理装置を含む移動体通信システムに用いられる携帯電話機１０１の構成例を示すブロック図である。位置検出部２０１は、制御部２０４に制御されて、自携帯電話機１０１の位置を検出する。具体的には、本実施の形態では、位置検出部２０１は、例えばＧＰＳ機能を用いて自携帯電話機１０１の位置を検出する。すなわち、位置検出部２０１は、複数の人工衛星から送信された電波を受信するアンテナ（図示せず）と、このアンテナにより受信された電波を用いて自携帯電話機１０１の位置を検出し、この位置に関する情報（本実施の形態では、日時、経度、緯度及び高度）を生成する処理部（図示せず）とを含む。
【００３８】
記憶部２０２は、制御部２０４に制御されて、位置検出部２０１により生成された位置情報を記憶する。通信部２０３は、制御部２０４に制御されて、キャリア１０３との間で、通信網１０２を介した無線通信を行う。さらには、通信部２０３は、制御部２０４に制御されて、記憶部２０２から位置情報を読み出してキャリア１０３に送信する。なお、この位置情報の送信の方法については特に限定はない。すなわち、位置情報は、例えば、音声信号又は制御信号等の送信のためのチャネルを用いて送信されうる。
【００３９】
第２に、キャリア１０３の具体的な構成について、図３を参照して説明する。図３は、本発明の実施の形態に係る統計処理装置を含む移動体通信システムに用いられるキャリア１０３が搭載する統計処理装置の構成を示すブロック図である。
【００４０】
この統計処理装置は、携帯電話機１０１又は調査会社１０５から受信した信号から各種の情報等を抽出する受信部３０１と、利用者情報を例えばキーボード等を介して入力する入力部３０５と、受信部３０１により抽出された情報等を用いて各種の処理を実行する処理部３０３と、受信部３０１により抽出された情報等、処理部３０３の処理により得られた情報等、及び、入力部３０５により入力された利用者情報を記憶する記憶部３０２と、記憶部３０２に記憶された各種の情報を調査会社１０５に送信する送信部３０４と、を含む。
【００４１】
受信部３０１は、携帯電話機１０１の通信部２０３により送信された位置情報を、通信網１０２を介して受信して記憶部３０２に送る。また、受信部３０１は、調査会社１０５により送信されたコンピュータプログラムを、通信網１０４を介して受信して記憶部３０２に送る。さらに、受信部３０１は、調査会社１０５により送信されたサンプル数情報を、通信網１０４を介して受信して記憶部３０２に送る。
入力部３０５は、携帯電話機１０１の利用者に対するアンケート等から事前に収集された利用者情報を、例えば操作者のキーボードでの入力により取得して、記憶部３０２に送る。
【００４２】
記憶部３０２は、位置情報記憶部１と、地理情報記憶部２と、利用者情報記憶部３と、プログラム記憶部４と、統計処理情報記憶部５と、料金記憶部６と、を含む。
位置情報記憶部１は、受信部３０１から送られた位置情報を記憶する。この位置情報は、一例として図４に示すように、携帯電話機の利用者に固有のユーザＩＤ、この携帯電話機が存在した位置に対応する経度、緯度及び高度、並びに、この携帯電話機がその位置に存在した日付及び時間を含む。
【００４３】
地理情報記憶部２は、場所を特定する要素（例えば、地名、施設名や住所）と、その要素に対応する緯度、経度及び高度と、の対応関係を示す地理情報を記憶する。この地理情報は、一例として図５に示すように、地名、並びに、この地名に対応する経度、緯度及び高度を含む。
【００４４】
利用者情報記憶部３は、入力部３０５により入力された利用者情報を記憶する。この利用者情報は、一例として図６に示すように、携帯電話機の利用者に固有のユーザＩＤ、性別、年齢、職業、自宅住所及び職場住所等を含む。
【００４５】
プログラム記憶部４は、コンピュータプログラム及びサンプル数情報（本実施の形態では、コンピュータプログラムと同様に調査会社から受信したサンプル数情報）を記憶する。プログラム記憶部４に記憶されるコンピュータプログラムは、第１の態様では、調査会社１０５の送信部７０１により送信されたコンピュータプログラムであって、キャリア１０３の統計処理装置における受信部３０１により受信されたコンピュータプログラムである。また、プログラム記憶部４に記憶されるコンピュータプログラムは、第２の態様では、調査会社１０５の依頼を受けたキャリア１０３により作成されたコンピュータプログラムである。
【００４６】
統計処理情報記憶部５は、処理部３０３（具体的には、後述する統計処理部７）により作成された統計処理情報を記憶する。料金記憶部６は、処理部３０３（具体的には、後述する算出部８）により算出された料金に関する料金情報を記憶する。
【００４７】
処理部３０３は、統計処理部７と、算出部８と、を含む。統計処理部７は、プログラム記憶部４に記憶されたコンピュータプログラムを読み込み、このプログラムに従って、位置情報記憶部１に記憶された位置情報、地理情報記憶部２に記憶された地理情報及び利用者情報記憶部３に記憶された利用者情報を用いた統計処理を実行することにより、統計処理情報を作成する。なお、この統計処理に用いられる位置情報、及び、利用者情報のサンプル数は、プログラム記憶部４に記憶されたサンプル数情報に従う。具体的な統計処理の内容については後述する。この統計処理部７は、統計処理により得られた統計処理情報を統計処理情報記憶部５に送り、統計処理に用いられた位置情報及び利用者情報のサンプル数を算出部８に送る。
【００４８】
算出部８は、統計処理部７から送られたサンプル数に基づいて、統計処理部７により作成された統計処理情報の料金を算出する。例えば、算出部８は、統計処理情報の料金として、サンプル数に比例した料金を設定するか、又は、サンプル数に関係なく定額の料金を設定することができる。この算出部８は、算出した料金に関する料金情報を料金記憶部６に送る。
【００４９】
送信部３０４は、統計処理情報記憶部５に記憶された統計処理情報を、通信網１０４を介して調査会社１０５に送る。また、送信部３０４は、料金記憶部６により記憶された料金情報を、通信網１０４を介して調査会社１０５に送る。
第３に、調査会社１０５の具体的な構成について、図７を参照して説明する。図７は、本発明の実施の形態に係る統計処理装置を含む移動体通信システムに用いられる調査会社１０３が備える通信装置の構成を示すブロック図である。
【００５０】
この通信装置は、記憶部７００と、送信部７０１と、受信部７０２と、を含む。記憶部７００は、プログラム記憶部７０３と、統計処理情報記憶部７０４と、料金記憶部７０５と、を含む。具体的には、記憶部７００のプログラム記憶部７０３は、所望する統計処理情報が得られるような統計処理を規定したコンピュータプログラム、及び、この統計処理に用いるべき位置情報及び利用者情報のサンプル数情報を記憶する。送信部７０１は、プログラム記憶部７０３に記憶されたコンピュータプログラム及びサンプル数に関する情報を、通信網１０４を介してキャリア１０３に送信する。
【００５１】
受信部７０２は、プログラム記憶部７０３に記憶されたコンピュータプログラムを用いてキャリア１０３により作成された統計処理情報を、通信網１０４を介して受信して、記憶部７００の統計処理情報記憶部７０４に送る。また、受信部７０２は、キャリア１０３により算出された統計処理情報の料金に関する料金情報を、通信網１０４を介して受信して、記憶部７００の料金記憶部７０５に送る。
【００５２】
記憶部７００の統計処理情報記憶部７０４は、受信部７０２から送られた統計処理情報を記憶する。記憶部７００の料金記憶部７０５は、受信部７０２から送られた料金情報を記憶する。以上、携帯電話機１０１、キャリア１０３及び調査会社１０５のそれぞれの具体的な構成について説明した。
【００５３】
次に、上記構成を有する移動体通信システムの動作について、図１から図７を参照して説明する。
＜移動体通信システムの動作＞
まず、キャリア１０３の有する統計処理装置による統計処理が実行される前に、キャリア１０３と携帯電話機との間でなされる動作、及び、キャリア１０３と調査会社１０５との間でなされる動作について説明する。
【００５４】
＜＜キャリア１０３と携帯電話機との間でなされる動作＞＞
携帯電話機１０１は、例えばこの携帯電話機１０１の利用者の操作により位置検出機能がＯＮにされると、図２に示す制御部２０４の制御を受けた位置検出部２０１により、自携帯電話機１０１の位置の検出が開始される。この結果、位置検出部２０１では、単位時間ごとに、自携帯電話機１０１の位置が検出され、位置情報（本実施の形態では、日付、時間、緯度、経度及び高度）が生成される。単位時間ごとに生成された位置情報は、記憶部２０２により、検出された時間（日付及び時間）とともに記憶される。この後、携帯電話機１０１の利用者は、任意の時間（例えば就寝前）に、位置情報をキャリア１０３に送信する旨の操作を行うことにより、制御部２０４の制御を受けた通信部２０３により、記憶部２０２に記憶された位置情報は、通信網１０２を介してキャリア１０３に対して送信される。なお、携帯電話機として携帯電話機１０１を例にとり説明したが、携帯電話機１０１以外の複数の携帯電話機も、上述した携帯電話機１０１と同様の処理がなされる。
【００５５】
各携帯電話機により送信された位置情報は、通信網１０２を介して、キャリア１０３に受信される。具体的には、携帯電話機により送信された位置情報は、図３に示す統計処理装置における受信部３０１により受信された後、位置情報記憶部１により記憶される。この結果、図４に示すように、各利用者についての位置情報が、位置情報記憶部１により記憶される。図４を例にとれば、ユーザＩＤ「１」及びユーザＩＤ「２」に対応する位置情報は、それぞれ、利用者１及び利用者２の保有する携帯電話機についての位置情報である。
【００５６】
位置情報記憶部１は、位置情報を特定の形式で記憶する。すなわち、位置情報記憶部１による位置情報の記憶構造は、予め決められている。具体的には、例えば、記憶される情報の内容（ユーザＩＤ、日付、時間、経度、緯度及び高度等）、記憶される情報の種類（文字及び数字）、記憶される情報のデータ長等は、予め決められている。この位置情報記憶部１による位置情報の記憶構造は、調査会社１０５を含む複数の調査会社に公開されている。本実施の形態では、位置情報記憶部１は、一例として、データベースにより構成されるので、このデータベースのスキーマが、複数の調査会社に公開されることになる。
【００５７】
一方、キャリア１０３は、このキャリア１０３との間で無線通信サービスの提供に関する契約を結んでいる利用者から、例えばアンケート等を介して、この利用者に関する利用者情報を収集している。よって、このように収集された利用者情報は、操作者の操作を介して、入力部３０５により入力されて利用者情報記憶部３により記憶される。図６には、利用者情報記憶部３により記憶される利用者情報の一例が示されている。なお、図６に示すユーザＩＤと、図４に示すユーザＩＤとは対応している。
【００５８】
なお、利用者情報記憶部３が利用者情報を記憶する方法として、次の方法を採用することも可能である。すなわち、まず、所定のサーバ（望ましくはキャリア１０３の装置として設けられたサーバ）は、通信網１０２を介してこのサーバにアクセスしてきた携帯電話機１０１に対して、携帯電話機１０１の利用者が例えばアンケート形式で利用者情報を入力することができるようなデータ（例えば、ＨＴＭＬ等の構造記述言語により記述されたデータ）を、通信網１０２を介して携帯電話機１０１に対して送信する。携帯電話機１０１は、サーバから受信したデータを解析することにより得られた画像（アンケート画面）を画面に表示し、携帯電話機１０１の利用者は、性別や年齢等の利用者情報を入力する。この後、携帯電話機１０１は、入力された利用者情報を、例えばファイル形式のデータ（バイナリデータ）として、通信網１０２を介してキャリア１０３に送信する。このように送信された利用者情報は、キャリア１０３の統計処理装置における受信部３０１に受信された後、利用者情報記憶部３に記憶される。以上のような処理が、キャリア１０３と携帯電話機１０１との間だけでなく、キャリア１０３との間で無線通信サービスの提供に関する契約を結んでいる他の利用者の携帯電話機と、キャリア１０３との間でもなされることにより、複数の携帯電話機の利用者に関する利用者情報が、利用者情報記憶部３に記憶されることになる。
【００５９】
利用者情報記憶部３は、利用者情報を特定の形式で記憶する。すなわち、利用者情報記憶部３による利用者情報の記憶構造は、予め決められている。具体的には、例えば、記憶される情報の内容（ユーザＩＤ、性別、年齢、職業、自宅住所及び職場住所等）、記憶される情報の種類（文字及び数字）、記憶される情報のデータ長等は、予め決められている。この利用者情報記憶部３による利用者情報の記憶構造は、上述した位置情報記憶部１による位置情報の記憶構造と同様に、調査会社１０５を含む複数の調査会社に公開されている。
【００６０】
本実施の形態では、利用者情報記憶部３は、一例として、データベースにより構成されるので、このデータベースのスキーマが、複数の調査会社に公開されることになる。
【００６１】
＜＜キャリア１０３と調査会社１０５との間でなされる動作＞＞
上述したように、キャリア１０３の保有する統計処理装置における位置情報記憶部１及び利用者情報記憶部３の記憶構造（本実施の形態では、位置情報記憶部１及び利用者情報記憶部３のそれぞれを構成するデータベースのスキーマ）は、調査会社１０５に公開されている。よって、調査会社１０５は、これら記憶部における記憶構造に対応したコンピュータプログラムであって、所望の統計処理情報を得るための統計処理を規定するコンピュータプログラムを作成することができる。すなわち、調査会社１０５は、所望の統計処理情報を得るべく、これら記憶部を構成するデータベースに対する操作（例えば検索、抽出等）を規定するＳＱＬ（Structure Query Language）プログラムを作成することができる。
【００６２】
調査会社１０５により作成されるコンピュータプログラムの具体例について、所望する統計処理情報が、「東京在住の４０代の男性であって、タウンモールＢに立ち寄ったことがある人は、どのような人か」を明らかにする統計処理情報である場合を例にとり、調査会社１０５からキャリア１０３に送られるサンプル数情報を考慮しつつ説明する。
【００６３】
このような統計処理情報を得るには、例えば次の（１）〜（７）の統計処理を用いることができる。（１）利用者情報記憶部３に記憶された利用者情報から、「性別」が男性でありかつ「年齢」が４０代である利用者情報を、サンプル数に対応する数だけ抽出する。抽出した利用者情報を「ターゲット利用者情報」とする。（２）ターゲット利用者情報からユーザＩＤを抽出する。抽出したユーザＩＤを「ターゲットユーザＩＤ」とする。（３）地理情報記憶部２に記憶された地理情報を用いて「タウンモールＢ」に対応する位置情報（経度、緯度及び高度）を取り出す。（４）位置情報記憶部１に記憶された位置情報から、「ユーザＩＤ」がターゲットユーザＩＤと一致する位置情報を抽出する。抽出した位置情報を「ターゲット位置情報」とする。（５）ターゲット位置情報から、「タウンモールＢ」に対応する位置情報と一致する位置情報を有するターゲット位置情報を抽出し、抽出したターゲット位置情報を新たな「ターゲット位置情報」とする。（６）ターゲット位置情報に含まれるユーザＩＤを新たな「ターゲットユーザＩＤ」とする。（７）ターゲット利用者情報から、ターゲットユーザＩＤと一致する「ユーザＩＤ」を有するターゲット利用者情報を抽出し、抽出したターゲット利用者情報を最終的な統計処理情報とする。
【００６４】
このような位置情報記憶部１及び利用者情報記憶部３のそれぞれを構成するデータベースに対する操作、及び、その操作により得られた情報を用いた処理が、ＳＱＬプログラムにより規定されることにより、コンピュータプログラムが作成される。
【００６５】
このように作成されたコンピュータプログラムは、図７に示す記憶部７００のプログラム記憶部７０３に記憶される。また、このコンピュータプログラムとともにサンプル数情報がプログラム記憶部７０３に記憶される。プログラム記憶部７０３に記憶されたプログラム及びサンプル数情報は、送信部７０１により通信網１０４を介してキャリア１０３に送られる。
【００６６】
調査会社１０５により送信されたコンピュータプログラム及びサンプル数情報は、図３に示す受信部３０１により受信された後、この受信部３０１により、記憶部３０２のプログラム記憶部４に記憶される。
【００６７】
なお、本実施の形態では、調査会社１０５の備える１つの通信装置が、プログラム記憶部７０３及び送信部７０１（送信系）と、受信部７０２、統計処理情報記憶部７０４及び料金記憶部７０５（受信系）と、を有する場合を例にとり説明しているが、送信系及び受信系の少なくとも一方を、調査会社１０５の備える通信装置として設けることができる。すなわち、例えば、送信系を一方の調査会社の通信装置の内部に設け、受信系を別の調査会社の通信装置の内部に設けるようにすることも可能であるし、送信系をある調査会社の一方の通信装置の内部に設け、受信系をその調査会社の別の通信装置の内部に設けることも可能である。
【００６８】
次に、キャリア１０３の有する統計処理装置によりなされる統計処理について説明する。
＜＜キャリア１０３の統計処理装置によりなされる統計処理＞＞
まず、プログラム記憶部４に記憶されたコンピュータプログラム及びサンプル数情報が、統計処理部７により読み込まれる。統計処理部７は、コンピュータプログラムに従い、調査会社により指定されたサンプル数に対応する数の位置情報及び利用者情報を用いた統計処理を実行することにより、統計処理情報を作成する。具体的には、コンピュータプログラムは、上述したように、位置情報記憶部１及び利用者情報記憶部３に対する具体的な操作、及び、その操作により得られた情報を用いた具体的な処理を規定している。よって、統計処理部７は、コンピュータプログラムにより規定された具体的な操作、及び、この操作により得られた情報に対する処理を実行することにより、統計処理を実行して、調査会社から依頼された統計処理情報を作成することができる。
【００６９】
ここで、統計処理部７により実行される統計処理の具体例として、プログラム記憶部４に記憶されたコンピュータプログラムが、「２００３年７月７日にレジャーランドＡに来場した２０代女性の平均滞在時間をどれくらいか」を明らかにするための統計処理を規定している場合を例にとり説明する。
【００７０】
（１）統計処理部７は、地理情報記憶部２に記憶された地理情報を用いて「レジャーランドＡ」に対応する位置情報（経度、緯度及び高度）を取り出す。（２）統計処理部７は、利用者情報記憶部３に記憶された利用者情報から、「性別」が女性でありかつ「年齢」が２０代である利用者情報を、サンプル数に対応する数だけ抽出する。抽出した利用者情報を「ターゲット利用者情報」とする。（３）統計処理部７は、ターゲット利用者情報からユーザＩＤを抽出し、抽出したユーザＩＤを「ターゲットユーザＩＤ」とする。（４）統計処理部７は、位置情報記憶部１に記憶された位置情報から、「ユーザＩＤ」がターゲットユーザＩＤと一致する位置情報を抽出し、抽出した位置情報を「ターゲット位置情報」とする。（５）統計処理部７は、ターゲット位置情報から、「レジャーランドＡ」に対応する位置情報と一致する位置情報を有するターゲット位置情報を抽出し、抽出したターゲット位置情報を新たな「ターゲット位置情報」とする。（６）統計処理部７は、ターゲット位置情報から、「日付」が２００３年７月７日であるターゲット位置情報を抽出し、抽出したターゲット位置情報を新たな「ターゲット位置情報」とする。（７）統計処理部７は、ターゲット位置情報に含まれるユーザＩＤを取得し、取得したユーザＩＤを新たな「ターゲットユーザＩＤ」とする。（８）統計処理部７は、ターゲットユーザＩＤ毎に、このユーザがレジャーランドＡに滞在していた時間を計算する。（９）統計処理部７は、全ユーザの滞在時間の合計を計算し、この合計を全ユーザ数で除することにより、平均滞在時間を統計処理情報として作成する。以上、統計処理部７により実行される統計処理の一例について説明した。
【００７１】
このような統計処理により得られた統計処理情報は、統計処理情報記憶部５に送られ記憶され、このような統計処理に用いられた位置情報及び利用者情報のサンプル数は、算出部８に送られる。
【００７２】
算出部８では、統計処理部７により得られた統計処理情報を調査会社１０５に提供することについての対価、すなわち、統計処理情報の料金が算出される。具体的には、算出部８では、統計処理部７による統計処理に用いられた位置情報及び／又は利用者情報の数、すなわち、サンプル数に基づいて、統計処理情報の料金が算出される。
【００７３】
具体的には、まず第１の算出方法では、サンプル数に比例した料金が、統計処理情報の料金として算出される。この算出方法は、サンプル数が大きい程、得られる統計処理情報の信頼性が向上するという点に着目した算出方法である。
例えば、サンプル数１件につき２０円の料金を設定すれば、サンプル数が１０万である場合には、統計処理情報の料金は、１０万×２０円＝２００万円となり、サンプル数が５万である場合には、統計処理情報の料金は、５万×２０円＝１００万円となる。
【００７４】
第２の算出方法では、サンプル数が所定値よりも小さい場合に、所定額以上の料金が、統計処理情報の料金として算出される。この算出方法は、サンプル数が小さい場合であっても一定額の利益を確保する点に着目した算出方法である。
【００７５】
例えば、サンプル数が所定値（例えば３００）より小さい場合には、上記第１の算出方法を用いたときには、統計処理情報の料金は、３００×２０円＝６０００円となり、統計処理情報の料金として低額となる可能性がある。そこで、第２の算出方法では、サンプル数が所定値より小さい場合には、所定額（例えば３０万円等）以上の金額が、統計処理情報の料金として算出される。なお、この場合にでも、所定額に対してサンプル数に比例した料金を加算した料金が、統計処理情報の料金として算出されるようにすることもできる。すなわち、例えば、サンプル数が２５０である場合には、統計処理情報の料金は、３０万円（所定額）＋２５０×２０円（サンプル数に比例した料金）＝３０万５千円として算出されうる。
【００７６】
第３の算出方法では、サンプル数が所定値よりも小さい場合に、所定額以上の料金であって、サンプル数とは独立の料金が、統計処理情報の料金として算出される。この算出方法は、上記第２の算出方法を限定した方法であり、上記第２の算出方法を採用した場合よりも簡易に統計処理情報の料金を算出することに着目した方法である。例えば、上記第２の算出方法で用いた例では、サンプル数が３００未満である場合には、所定額（例えば３０万円等）のみが統計処理情報の料金として算出される。
【００７７】
なお、コンピュータプログラムの作成が、調査会社１０５によって行われるのではなく、キャリア１０３により代行される場合には、上記第１の算出方法から第３の算出方法において、コンピュータプログラムの作成についての対価を反映させることができる。すなわち、第１の算出方法では、調査会社１０５がコンピュータプログラムを作成する場合に比べて、例えば１サンプル数当たりの料金を増加させることができる。第２の算出方法では、調査会社１０５がコンピュータプログラムを作成する場合に比べて、例えば、１サンプル数当たりの料金を増加させるだけでなく、所定額を増加させることもできる。第３の算出方法では、調査会社１０５がコンピュータプログラムを作成する場合に比べて、例えば所定額を増加させることができる。
【００７８】
以上のようにして算出された料金に関する情報は、料金情報として料金記憶部６に送られ記憶される。この後、統計処理情報記憶部５に記憶された統計処理情報、及び、料金記憶部６に記憶された料金情報は、送信部３０４により、通信網１０４を介して調査会社１０５に送信される。
【００７９】
キャリア１０３により送信された統計処理情報及び料金情報は、通信網１０４を介して、図７に示す受信部７０２により受信された後、それぞれ、記憶部７００の統計処理情報記憶部７０４及び料金記憶部７０５に記憶される。
【００８０】
以上説明したように、本実施の形態によれば、キャリアに設けられた統計処理装置が、位置情報及び利用者情報を用いた統計処理を実行することにより、統計処理情報を作成した後、作成した統計処理情報を調査会社に送信している。すなわち、位置情報及び利用者情報を用いた統計処理を行う統計処理装置が、キャリアの装置として設けられている。これにより、位置情報及び利用者情報は、キャリアのみによって保有され調査会社には保有されないので、位置情報及び利用者情報が調査会社の社員等により外部に持ち出されるという事態は生じない。また、通常、キャリアの社員には、通信の秘密を守る義務が課されていることから、キャリアのみが位置情報及び利用者情報を保持して統計処理情報を作成することによって、位置情報及び利用者情報が外部に持ち出される可能性をさらに低くすることができる。このように、本実施の形態によれば、位置情報及び利用者情報を確実に保護しつつ、高精度かつ詳細な統計処理情報をキャリアの外部（調査会社等）に提供することができる。
【００８１】
さらに、本実施の形態によれば、位置情報は、携帯電話機とキャリアとの間の移動通信網を含む通信回線のみしか経由しないので、例えば位置情報が携帯電話機からキャリアを介して調査会社まで送信される場合に比べて、位置情報をさらに確実に保護することができる。
【００８２】
また、発明者は、調査会社ではなくキャリアが統計処理情報を作成する構成が採られた場合には、調査会社は、意図する統計処理を実行することができない、又は、意図する統計処理情報を得ることができない可能性がある、という課題に着目した。そこで、本実施の形態では、上述したように、位置情報及び利用者情報を用いた統計処理を規定するコンピュータプログラムが、調査会社により作成された後にキャリアの記憶装置に記憶された後、又は、調査会社の要望を検討したキャリアにより作成されて記憶装置に記憶された後、このプログラムに従った統計処理が実行される。これにより、調査会社は、実際に統計処理を実行することができなくとも、意図した統計処理をキャリアに実行させ、意図した統計処理情報をキャリアから取得することができる。加えて、キャリアが例えば記憶装置に記憶されたコンピュータプログラムを検査することにより、統計対象者が特定される恐れのある統計処理情報が、作成されること又は調査会社に渡ることを、さらに確実に防止することができる。
【００８３】
加えて、本実施の形態では、キャリアが、統計処理装置の記憶装置における位置情報及び利用者情報の記憶構造を調査会社に公開し、調査会社が、この記憶構造に対応したコンピュータプログラムを作成している。これにより、調査会社は、意図した内容により近い統計処理をキャリアの統計処理装置に実行させることができるので、意図した内容により近い統計処理情報を取得することができる。
【００８４】
さらに、本実施の形態によれば、統計処理に用いられた位置情報又は利用者情報の数に基づいて、この統計処理により作成された統計処理情報の料金を算出しているので、作成された統計処理情報の信頼性・精度に応じた料金を算出すること、統計処理情報を作成する主体（本実施の形態ではキャリア）の利益を確保するような料金を算出することができる。
【図面の簡単な説明】
【００８５】
【図１】本発明の実施の形態に係る統計処理装置を含む移動体通信システムの構成を示すブロック図
【図２】本発明の実施の形態に係る統計処理装置を含む移動体通信システムに用いられる携帯電話機１０１の構成例を示すブロック図
【図３】本発明の実施の形態に係る統計処理装置を含む移動体通信システムに用いられるキャリア１０３が搭載する統計処理装置の構成を示すブロック図
【図４】本発明の実施の形態に係る統計処理装置における位置記憶部１に記憶される位置情報の一例を示す図
【図５】本発明の実施の形態に係る統計処理装置における地理情報記憶部２に記憶される地理情報の一例を示す図
【図６】本発明の実施の形態に係る統計処理装置における利用者情報記憶部３に記憶される利用者情報の一例を示す図
【図７】本発明の実施の形態に係る統計処理装置を含む移動体通信システムに用いられる調査会社１０３が備える通信装置の構成を示すブロック図
【符号の説明】
【００８６】
１０１  携帯電話機
１０２、１０４  通信網
１０３  移動体通信事業者
１０５  調査会社
２０１  位置検出部
２０２  記憶部
２０３  通信部
２０４  制御部
３０１  受信部
３０２  記憶部
３０３  処理部
３０４  送信部
１  位置情報記憶部
２  地理情報記憶部
３  利用者情報記憶部
４  プログラム記憶部
５  統計処理情報記憶部
６  料金記憶部
７  統計処理部
８  算出部
７００  記憶部
７０１  送信部
７０２  受信部
７０３  プログラム記憶部
７０４  統計処理情報記憶部
７０５  料金記憶部
【図１】
2005293242.tif 000003
【図２】
2005293242.tif 000004
【図３】
2005293242.tif 000005
【図４】
2005293242.tif 000006
【図５】
2005293242.tif 000007
【図６】
2005293242.tif 000008
【図７】
2005293242.tif 000009